(57)【要約】【課題】故障や異常が発生した場合に、それらを直ちに発見して計量の信頼性を向上させることができる電子式電力量計を提供する。【解決手段】それぞれが３線の内の基準線と当該線との線間電圧と当該線に流れる電流とを乗算して個別電力量を算出する複数の個別電力量算出部１１，１２と、複数の個別電力量算出部１１，１２に対応して設けられ、それぞれが当該個別電力量算出部からの個別電力量を記憶する複数の個別電力量記憶部１５，１６と、複数の個別電力量算出部１１，１２からの複数の個別電力量とを合成して得られた総合電力量を記憶する総合電力量記憶部１４と、総合電力量記憶部１４に記憶されている総合電力量を外部に出力し且つ複数の個別電力量記憶部１５，１６に記憶されている複数の個別電力量に基づいて異常の有無を判定する制御部１３とを備える。【選択図】      図１
2004226094.tif 000002
【特許請求の範囲】
【請求項１】
電源側からの複数線の数より１だけ少ない数だけ設けられ、それぞれが前記複数線の内の基準線と当該線との線間電圧と当該線に流れる電流とを乗算して個別電力量を算出する複数の個別電力量算出部と、
前記複数の個別電力量算出部に対応して設けられ、それぞれが当該個別電力量算出部からの前記個別電力量を記憶する複数の個別電力量記憶部と、
前記複数の個別電力量算出部からの複数の個別電力量とを合成して得られた総合電力量を記憶する総合電力量記憶部と、
前記総合電力量記憶部に記憶されている総合電力量を外部に出力し、且つ前記複数の個別電力量記憶部に記憶されている複数の個別電力量に基づいて異常の有無を判定する制御部と、
を備えることを特徴とする電子式電力量計。
【請求項２】
前記制御部は、異常判定情報記憶部を備え、
前記複数の個別電力量記憶部に記憶された前記複数の個別電力量の少なくとも１つが、所定範囲以外の値になったときに異常が発生したことを判定し、その旨を前記異常判定情報記憶部に記憶することを特徴とする請求項１記載の電子式電力量計。
【請求項３】
前記複数の個別電力量算出部の各々は、前記個別電力量を該個別電力量に対応する周波数及び符号を有するパルスに変換し、
前記複数の個別電力量記憶部は、前記複数の個別電力量算出部から送られてくるパルス数を積算して記憶し、
前記総合電力量記憶部は、前記複数の個別電力量算出部から送られてくる複数のパルス数及び符号を考慮して積算して記憶することを特徴とする請求項１記載の電子式電力量計。
【請求項４】
前記複数の個別電力量算出部は、前記制御部と一体に形成されることを特徴とする請求項１乃至請求項３のいずれか１項記載の電子式電力量計。
【発明の詳細な説明】
【０００１】
【発明の属する技術分野】
本発明は電子式電力量計に関し、特に計量の信頼性を高める技術に関する。
【０００２】
【従来の技術】
従来、電力を計量するために電力量計が使用されている。このような電力量計として、従来から誘導形電力量計が使用されているが、近年は、取付スペースを小さくでき、しかも機械的可動部がないため、取付方向に制約がない電子式電力量計が普及しつつある。
【０００３】
図６はこのような電子式電力量計の１つである単相３線式の低圧用電子式電力量計の構成を示すブロック図である。この電子式電力量計は、電源側端子２、負荷側端子３、第１電流検出部（ＣＴ１）４、第１電圧検出部（ＶＴ１）５、第３電流検出部（ＣＴ３）６、第３電圧検出部（ＶＴ３）７、計量・制御部８ａ、表示部９及び通信部１０から構成されている。
【０００４】
電源側端子２は、電源のニュートラル相（Ｎ相）が接続される端子２Ｓ、第１相が接続される端子１Ｓ及び第３相が接続される端子３Ｓから構成されている。なお、単相３線式の場合には、第１相の電力と第３相の電力とは位相が異なる訳ではない（単相である）が、本明細書では便宜上、「第１相」及び「第３相」と呼ぶ。同様に、負荷側端子３は、負荷のニュートラル相（Ｎ相）に接続される端子２Ｌ、第１相に接続される端子１Ｌ及び第３相に接続される端子３Ｌから構成されている。
【０００５】
第１電流検出部４は、第１相の電流経路に設けられており、端子１Ｓから端子１Ｌに流れる電流を検出し、検出した電流Ｉ１を計量・制御部８ａに送る。第１電圧検出部５は、Ｎ相と第１相との間の電圧を検出し、検出した電圧Ｖ１を計量・制御部８ａに送る。
【０００６】
第３電流検出部６は、第３相の電流経路に設けられており、端子３Ｓから端子３Ｌに流れる電流を検出し、検出した電流Ｉ３を計量・制御部８ａに送る。第３電圧検出部７は、Ｎ相と第３相との間の電圧を検出し、検出した電圧Ｖ３を計量・制御部８ａに送る。
【０００７】
計量・制御部８は、第１電流検出部４からの電流Ｉ１、第１電圧検出部５からの電圧Ｖ１、第３電流検出部６からの電流Ｉ３及び第３電圧検出部７からの電圧Ｖ３に基づいて電力量を計量する。計量・制御部８ａの詳細は後述する。表示部９は、計量・制御部８ａで計量された電力量やその他の情報を表示する。通信部１０は、遠隔検針や計量・制御部８ａへの各種設定を行うために使用される。
【０００８】
図７は計量・制御部８ａの詳細な構成を示すブロック図である。計量・制御部８ａは、第１電力乗算部７１、第３電力乗算部７２、合成−パルス変換部７３及びパルス処理・計量・制御部１３から構成されている。
【０００９】
第１電力乗算部７１は、第１電流検出部４で検出された電流Ｉ１と第１電圧検出部５で検出された電圧Ｖ１とを乗算することにより第１相の電力を算出し、合成−パルス変換部７３に送る。第３電力乗算部７２は、第３電流検出部６で検出された電流Ｉ３と第３電圧検出部７で検出された電圧Ｖ３とを乗算することにより第３相の電力を算出し、合成−パルス変換部７３に送る。
【００１０】
合成−パルス変換部７３は、第１電力乗算部７１で算出された電力と、第３電力乗算部７２で算出された電力とを合成し、この合成された電力に比例した周波数のパルスに変換する。この合成−パルス変換部７３で得られたパルスは、電力量パルスを表すパルス信号として、パルス処理・計量・制御部１３に送られる。
【００１１】
パルス処理・計量・制御部１３は、例えばマイクロコンピュータから構成されており、合成−パルス変換部７３から送られてくるパルス信号に含まれる電力量パルスを総合電力量記憶部１４に累積加算（積算）する。そして、パルス処理・計量・制御部１３は、総合電力量記憶部１４に記憶されている総合電力量を表示部９に送る。これにより、総合電力量が表示部９に表示される。また、パルス処理・計量・制御部１３は、総合電力量記憶部１４に記憶されている総合電力量を通信部１０に送る。これにより、通信部１０は、総合電力量を電力会社に送信し、電力会社はこの総合電力量に基づいて課金等を行う。
【００１２】
なお、従来の電子式電力量計に関連する従来技術として、例えば特許文献１がある。
【００１３】
【特許文献１】
特許３１１２６１１号（第３頁−６頁、第５図）
【００１４】
【発明が解決しようとする課題】
しかしながら、上述した従来の電子式電力量計においては、第１電力乗算部７１又は第３電力乗算部７２の片方が故障した場合は正しい計量ができなくなるが、電力量計の動作状態は負荷の状態に依存して変動するため、故障の発見が遅れる場合がある。また、電力量計が定格電力内で動作していても、第１相と第３相の電力のバランスが大きく崩れていると片側の相の容量を超える場合があるが、このような異常も発見が遅れてしまう場合がある。
【００１５】
本発明は、上記のような問題を解消するためになされたものであり、その課題は、故障や異常が発生した場合に、それらを直ちに発見して計量の信頼性を向上させることができる電子式電力量計を提供することにある。
【００１６】
【課題を解決するための手段】
本発明に係る電子式電力量計は、上記課題を達成するために、請求項１の発明は、電源側からの複数線の数より１だけ少ない数だけ設けられ、それぞれが前記複数線の内の基準線と当該線との線間電圧と当該線に流れる電流とを乗算して個別電力量を算出する複数の個別電力量算出部と、前記複数の個別電力量算出部に対応して設けられ、それぞれが当該個別電力量算出部からの前記個別電力量を記憶する複数の個別電力量記憶部と、前記複数の個別電力量算出部からの複数の個別電力量とを合成して得られた総合電力量を記憶する総合電力量記憶部と、前記総合電力量記憶部に記憶されている総合電力量を外部に出力し、且つ前記複数の個別電力量記憶部に記憶されている複数の個別電力量に基づいて異常の有無を判定する制御部とを備えたことを特徴とする。
【００１７】
請求項１の発明によれば、総合電力量の他に、複数の個別電力量をも記憶するように構成されているので、これら複数の個別電力量を参照することにより、故障又は異常の有無をいち早く発見することが可能になる。
【００１８】
請求項２の発明では、前記制御部は、異常判定情報記憶部を備え、前記複数の個別電力量記憶部に記憶された前記複数の個別電力量の少なくとも１つが、所定範囲以外の値になったときに異常が発生したことを判定し、その旨を前記異常判定情報記憶部に記憶することを特徴とする。
【００１９】
請求項２の発明によれば、異常判定情報記憶部を参照することにより、何時でも故障又は異常の有無を知ることができるので、これらをいち早く発見することが可能になる。
【００２０】
また、請求項３の発明では、前記複数の個別電力量算出部の各々は、前記個別電力量を該個別電力量に対応する周波数及び符号を有するパルスに変換し、前記複数の個別電力量記憶部は、前記複数の個別電力量算出部から送られてくるパルス数を積算して記憶し、前記総合電力量記憶部は、前記複数の個別電力量算出部から送られてくる複数のパルス数及び符号を考慮して積算して記憶することを特徴とする。
【００２１】
更に、請求項４の発明では、前記複数の個別電力量算出部は、前記制御部と一体に形成されることを特徴とする。
【００２２】
請求項４の発明によれば、複数の個別電力量算出部及び制御部をワンチップ化することが容易になり、電子式電力量計を小型且つ安価に構成できる。
【００２３】
【発明の実施の形態】
以下、本発明の実施の形態に係る電子式電力量計を図面を参照しながら詳細に説明する。
【００２４】
（第１の実施の形態）
本発明の第１の実施の形態に係る電子式電力量計は、図６に示した従来の電子式電力量計の中の計量・制御部８ａに対して、計量・制御部８の構成が異なる。このため、電子式電力量計の全体の説明は省略するものとし、計量・制御部８の構成及び動作のみを説明する。
【００２５】
図１は本発明の第１の実施の形態に係る電子式電力量計の計量・制御部８の構成を示すブロック図である。計量・制御部８は、第１電力−パルス変換部１１、第３電力−パルス変換部１２、パルス処理・計量・制御部１３から構成されている。
【００２６】
第１電力−パルス変換部１１は、第１電流検出部４からの電流Ｉ１と第１電圧検出部５からの電圧Ｖ１とを乗算することにより第１相の電力を算出し、更に、この算出された電力を、該電力に比例した周波数を有し且つ正（＋）又は負（−）の符号を有するパルスに変換する。この第１電力−パルス変換部１１で得られたパルスは、電力量パルスを表すパルス信号として、パルス処理・計量・制御部１３に送られる。
【００２７】
第３電力−パルス変換部１２は、第３電流検出部６からの電流Ｉ３と第３電圧検出部７からの電圧Ｖ３とを乗算することにより第３相の電力を算出し、更に、この算出された電力を、該電力に比例した周波数を有し且つ正（＋）又は負（−）の符号を有するパルスに変換する。この第３電力−パルス変換部１２で得られたパルスは、電力量パルスを表すパルス信号として、パルス処理・計量・制御部１３に送られる。
【００２８】
パルス処理・計量・制御部１３は、例えばマイクロコンピュータから構成されており、総合電力量記憶部１４、第１相電力量記憶部１５、第３相電力量記憶部１６及び異常判定情報記憶部１７を備えている。このパルス処理・計量・制御部１３は、第１電力−パルス変換部１１からの電力量パルスと第３電力−パルス変換部１２からの電力量パルスとを、符号を考慮して総合電力量記憶部１４に累積加算（積算）する。
【００２９】
また、パルス処理・計量・制御部１３は、第１電力−パルス変換部１１からの電力量パルスを第１相電力量記憶部１５に累積加算（積算）すると共に、第３電力−パルス変換部１２からの電力量パルスを第３相電力量記憶部１６に累積加算（積算）する。
【００３０】
また、パルス処理・計量・制御部１３は、第１相電力量記憶部１５に記憶されている値、及び第３相電力量記憶部１６に記憶されている値が「０」や「予め設定した値以上の値」になったとき、即ち、所定範囲以外の値になったときに異常が発生したこと判定し、その旨を表す異常判定情報を異常判定情報記憶部１７に記憶する。
【００３１】
更に、パルス処理・計量・制御部１３は、総合電力量記憶部１４、第１相電力量記憶部１５、第３相電力量記憶部１６及び異常判定情報記憶部１７に記憶されている内容を表示部９に送る。これにより、総合電力量、第１相電力量、第３相電力量及び異常判定情報が表示部９に表示される。また、パルス処理・計量・制御部１３は、総合電力量記憶部１４、第１相電力量記憶部１５、第３相電力量記憶部１６及び異常判定情報記憶部１７に記憶されている内容を通信部１０に送る。これにより、通信部１０は、総合電力量、第１相電力量、第３相電力量及び異常判定情報を電力会社に送信する。
【００３２】
以上説明したように、本発明の第１の形態に係る電子式電力量計によれば、第１相電力量と第３相電力量とを合成して積算した総合電力量だけでなく、第１相電力量、第３相電力量及び異常判定情報を記憶しており、適宜、表示部９へ表示したり通信部１０を介して電力会社に送ることができる。従って、故障や異常が発生した場合に、需要家又は電力会社において、それらをいち早く発見でき、計量の信頼性を高めることができる。
【００３３】
なお、第１電力−パルス変換部１１からの電力量パルスと第２電力−パルス変換部１２からの電力量パルスを合成して総合電力量を求める場合、累積加算した値が正（＋）でも力率の状態や後述する三相３線式などに適用したときに（例えば逆接続のために）片方が負（−）の場合があるので、パルス処理・計量・制御部１３は、符号を考慮して電力量パルスを累積加算する処理を行っている。
【００３４】
（第２の実施の形態）
本発明の第２の実施の形態は、計器用変成器を使用した変成器付三相３線式の電子式電力量計である。
【００３５】
この電子式電力量計は、図２に示すように、計器用変成器３２で変圧された電圧及び変流された電流をそれぞれ入力するための電圧端子３３と電流端子３４とを分離して備えている。計器用変成器３２は、電源電圧を変圧することにより生成した第１相の電圧、第２相の電圧及び第３相の電圧、並びに電源電流を変流することにより生成した第１相の電流及び第３相の電流を出力する。
【００３６】
電圧端子３３は、計器用変成器３２からの第１相の変圧された電圧が供給される端子Ｐ１、第２相の変圧された電圧が供給される端子Ｐ２及び第３相の変圧された電圧が供給される端子Ｐ３から構成されている。第１電圧検出部（ＶＴ１）５は、第２相と第１相との間の電圧を検出し、検出した電圧Ｖ１を計量・制御部８に送る。第３電圧検出部（ＶＴ３）７は、第２相と第３相との間の電圧を検出し、検出した電圧Ｖ３を計量・制御部８に送る。
【００３７】
また、電流端子３４は、計器用変成器３２からの第１相の変流された電流が入力される端子１Ｓ、第１相の変流された電流が出力される端子１Ｌ、計器用変成器３２からの第３相の変流された電流が入力される端子３Ｓ及び第３相の変流された電流が出力される端子３Ｌから構成されている。
【００３８】
第１電流検出部（ＣＴ１）４は、第１相の電流経路に設けられており、端子１Ｓと端子１Ｌとの間に流れる電流を検出し、検出した電流Ｉ１を計量・制御部８に送る。第３電流検出部（ＣＴ３）６は、第３相の電流経路に設けられており、端子３Ｓと端子３Ｌとの間に流れる電流を検出し、検出した電流Ｉ３を計量・制御部８に送る。
【００３９】
第１電流検出部４からの電流Ｉ１、第１電圧検出部５からの電圧Ｖ１、第３電流検出部６からの電流Ｉ３及び第３電圧検出部７からの電圧Ｖ３が入力される計量・制御部８の構成及び動作は、上述した第１の実施の形態に係る電子式電力量計で説明したものと同じである。
【００４０】
このように第２の実施の形態に係る電子式電力量計によれば、電源からの電力が計器用変成器３２で降圧及び減流されて第１電圧検出部５、第３電圧検出部７、第１電流検出部４及び第３電流検出部６に供給されるので、高圧用の電子式電力量計として使用することができる。
【００４１】
（第３の実施の形態）
本発明の第３の実施の形態は、計器用変成器を使用した変成器付三相４線式の電子式電力量計である。
【００４２】
この電子式電力量計は、図３に示すように、計器用変成器４２で変圧された電圧、及び変流された電流をそれぞれ入力するための電圧端子４３と電流端子４４とを分離して備えている。また、上述した第１及び第２の実施の形態の構成に加え、第２電流検出部（ＣＴ２）４５及び第２電圧検出部（ＶＴ２）４６を備えている。更に、計量・制御部４７は、第２電流検出部４５及び第２電圧検出部４６からの電流Ｉ２及び電圧Ｖ２を処理するための第２電力−パルス変換部４８を備えている。なお、詳細については、後述する。
【００４３】
計器用変成器４２は、電源電圧を変圧することにより生成した第１相の電圧、第２相の電圧、第３相の電圧及びニュートラル相の電圧、並びに電源電流を変流することにより生成した第１相の電流、第２相の電流及び第３相の電流を出力する。
【００４４】
電圧端子４３は、計器用変成器４２からの第１相の変圧された電圧が供給される端子Ｐ１、第２相の変圧された電圧が供給される端子Ｐ２、第３相の変圧された電圧が供給される端子Ｐ３及びニュートラル相の電圧が供給される端子Ｐ０から構成されている。第１電圧検出部（ＶＴ１）５は、ニュートラル相と第１相との間の電圧を検出し、検出した電圧Ｖ１を計量・制御部４７に送る。第２電圧検出部（ＶＴ２）４６は、ニュートラル相と第２相との間の電圧を検出し、検出した電圧Ｖ２を計量・制御部４７に送る。第３電圧検出部（ＶＴ３）７は、ニュートラル相と第３相との間の電圧を検出し、検出した電圧Ｖ３を計量・制御部４７に送る。
【００４５】
また、電流端子４４は、計器用変成器４２からの第１相の変流された電流が入力される端子１Ｓ、第１相の変流された電流が出力される端子１Ｌ、計器用変成器４２からの第２相の変流された電流が入力される端子２Ｓ、第２相の変流された電流が出力される端子２Ｌ、計器用変成器３２からの第３相の変流された電流が入力される端子３Ｓ及び第３相の変流された電流が出力される端子３Ｌから構成されている。
【００４６】
第１電流検出部（ＣＴ１）４は、第１相の電流経路に設けられており、端子１Ｓと端子１Ｌとの間に流れる電流を検出し、検出した電流Ｉ１を計量・制御部４７に送る。第２電流検出部（ＣＴ２）４５は、第２相の電流経路に設けられており、端子２Ｓと端子２Ｌとの間に流れる電流を検出し、検出した電流Ｉ２を計量・制御部４７に送る。第３電流検出部（ＣＴ３）６は、第３相の電流経路に設けられており、端子３Ｓと端子３Ｌとの間に流れる電流を検出し、検出した電流Ｉ３を計量・制御部４７に送る。
【００４７】
図４は本発明の第３の実施の形態に係る電子式電力量計の計量・制御部４７の詳細な構成を示すブロック図である。計量・制御部４７は、本発明の第１及び第２の実施の形態に係る電子式電力量計の計量・制御部８に、第２電力−パルス変換部４８が追加されると共に、パルス処理・計量・制御部１３に第２相電力量記憶部４９が追加されたパルス処理・計量・制御部１３Ａから構成されている。
【００４８】
第２電力−パルス変換部４８は、第２電流検出部４５からの電流Ｉ２と第２電圧検出部４６からの電圧Ｖ２とを乗算することにより第２相の電力を算出し、更に、この算出された電力を、該電力に比例した周波数を有し且つ正（＋）又は負（−）の符号を有するパルスに変換する。第２電力−パルス変換部４８で得られたパルスは、電力量パルスを表す信号として、パルス処理・計量・制御部１３に送られる。
【００４９】
パルス処理・計量・制御部１３Ａは、例えばマイクロコンピュータから構成されており、総合電力量記憶部１４、第１相電力量記憶部１５、第２相電力量記憶部４９、第３相電力量記憶部１６及び異常判定情報記憶部１７を備えている。パルス処理・計量・制御部１３Ａは、第１電力−パルス変換部１１からの電力量パルス、第２電力−パルス変換部４８からの電力量パルス及び第３電力−パルス変換部１２からの電力量パルスを、符号を考慮して総合電力量記憶部１４に累積加算（積算）する。
【００５０】
また、パルス処理・計量・制御部１３Ａは、第１電力−パルス変換部１１からの電力量パルスを第１相電力量記憶部１５に累積加算（積算）し、第２電力−パルス変換部４８からの電力量パルスを第２相電力量記憶部４９に累積加算（積算）し、第３電力−パルス変換部１２からの電力量パルスを第３相電力量記憶部１６に累積加算（積算）する。
【００５１】
また、パルス処理・計量・制御部１３Ａは、第１相電力量記憶部１５に記憶されている値、第２相電力量記憶部４９に記憶されている値、又は第３相電力量記憶部１６に記憶されている値が「０」や「予め設定した値以上の値」になったとき、異常が発生したこと判定し、その旨をあらわす異常判定情報を異常判定情報記憶部１７に記憶する。
【００５２】
更に、パルス処理・計量・制御部１３Ａは、総合電力量記憶部１４、第１相電力量記憶部１５、第２相電力量記憶部４９、第３相電力量記憶部１６及び異常判定情報記憶部１７に記憶されている内容を表示部９に送る。これにより、総合電力量、第１相電力量、第２相電力量、第３相電力量及び異常判定情報が表示部９に表示される。
【００５３】
また、パルス処理・計量・制御部１３Ａは、総合電力量記憶部１４、第１相電力量記憶部１５、第２相電力量記憶部４９、第３相電力量記憶部１６及び異常判定情報記憶部１７に記憶されている内容を通信部１０に送る。これにより、通信部１０は、総合電力量、第１相電力量、第２相電力量、第３相電力量及び異常判定情報を電力会社に送信する。
【００５４】
以上説明したように、本発明の第３の実施の形態に係る電子式電力量計によれば、３相交流の各相に故障や異常が発生した場合に、需要家又は電力会社において、それらをいち早く発見でき、計量の信頼性を高めることができる。
【００５５】
（第４の実施の形態）
本発明の第４の実施の形態に係る電子式電力量計は、第１及び第２の実施の形態に係る電子式電力量計の計量・制御部８における第１電力−パルス変換部１１及び第３電力−パルス変換部１２の機能を、電力乗算・計量・制御部６１において、ソフトウェア処理で実現したものである。
【００５６】
図５は本発明の第４の実施の形態に係る電子式電力量計の計量・制御部８Ａの詳細な構成を示すブロック図である。この計量・制御部８Ａは、電力乗算・計量・制御部６１から構成されている。
【００５７】
電力乗算・計量・制御部６１は、例えばマイクロコンピュータから構成されており、第１電流検出部４からの電流Ｉ１、第１電圧検出部５からの電圧Ｖ１、第３電流検出部６からの電流Ｉ３及び第３電圧検出部７からの電圧Ｖ３が直接に供給される。これら電流Ｉ１、電圧Ｖ１、電流Ｉ３及び電圧Ｖ３は、電力乗算・計量・制御部６１の内部に設けられたＡ／Ｄ変換器（図示せず）によりデジタルで変換された後、第１及び第２の実施の形態における第１電力−パルス変換部１１及び第３電力−パルス変換部１２と同等の機能、即ち乗算とパルス変換がソフトウェアの処理によって行われる。
【００５８】
以上説明したように、本発明の第４の形態に係る電子式電力量計によれば、第１及び第２の実施の形態における第１電力−パルス変換部１１及び第３電力−パルス変換部１２と同等の機能、即ち乗算とパルス変換がソフトウェアの処理によって行うようにしたので、部品点数が少なくなり、ワンチップ化に好適である。
【００５９】
また、電圧Ｖ１、Ｖ３又は電流Ｉ１、Ｉ３の欠落を発見することができ、また、電力量が「０」や「予め設定した値以上の数値」以上になった場合は、勿論、「予め設定した値以上の直流成分値」も判定することが可能になり、これを異常判定情報とすることができる。
【００６０】
【発明の効果】
以上説明したように、本発明によれば、故障や異常が発生した場合に、それらを直ちに発見して計量の信頼性を向上させることができる電子式電力量計を提供できる。
【図面の簡単な説明】
【図１】本発明の第１の実施の形態に係る電子式電力量計の計量・制御部の構成を示すブロック図である。
【図２】本発明の第２の実施の形態に係る電子式電力量計の構成を示すブロック図である。
【図３】本発明の第３の実施の形態に係る電子式電力量計の構成を示すブロック図である。
【図４】本発明の第３の実施の形態に係る電子式電力量計の計量・制御部の構成を示すブロック図である。
【図５】本発明の第４の実施の形態に係る電子式電力量計の計量・制御部の構成を示すブロック図である。
【図６】本発明の第１の実施の形態に係る電子式電力量計及び従来の電子式電力量計の構成を示すブロック図である。
【図７】従来の電子式電力量計の計量・制御部の構成を示すブロック図である。
【符号の説明】
２  電源側端子
３  負荷側端子
４  第１電流検出部
５  第１電圧検出部
６  第３電流検出部
７  第３電圧検出部
８  計量・制御部
９  表示部
１０  通信部
１１  第１電力−パルス変換部
１２  第３電力−パルス変換部
１３  パルス処理・計量・制御部
１４  総合電力量記憶部
１５  第１相電力量記憶部
１６  第２相電力量記憶部
１７  異常判定情報記憶部
３２  計器用変成器
３３  電圧端子
３４  電流端子
４２  計器用変成器
４３  電圧端子
４４  電流端子
４５  第２相電流検出部
４６  第２相電圧検出部
４７  計量・制御部
４８  第２電力−パルス変換部
４９  第２相電力量記憶部
６１  電力乗算・計量・制御部
【図１】
2004226094.tif 000003
【図２】
2004226094.tif 000004
【図３】
2004226094.tif 000005
【図４】
2004226094.tif 000006
【図５】
2004226094.tif 000007
【図６】
2004226094.tif 000008
【図７】
2004226094.tif 000009